(57)【要約】【課題】ＣＤＬデータを使った品質確認では、ユーザの使用頻度に影響される。ユーザの利用頻度に影響を受けない情報収集が必要である。【解決手段】一般ユーザのＣＤＬの中の遅延情報を使い、ユーザの位置を特定し、エリアの品質を確認する。ユーザ位置の特定には複数基地局からの遅延情報が必要だが、通常複数の遅延情報をデータ収集するには移動機のハンドオフ状態に影響を受ける。複数基地局とハンドオフ状態は非常に少ないため、ハンドオフに期待せず、インフラ主導で複数基地局からの遅延情報を移動機に報告させることで、任意の移動機から遅延情報の取得を可能とし、移動機位置の特定を行なう。【選択図】図１
2010278961.tif 000002
【特許請求の範囲】
【請求項１】
複数の基地局と接続され、これらの基地局を制御する基地局制御装置において、
前記基地局の位置関係を保持する周辺基地局情報テーブルと、前記基地局の配下にある移動機ごとの無線品質情報を保持する無線品質テーブルと、前記基地局と前記移動機とを対応付ける位置登録情報テーブルとを備え、
第１の基地局の配下にある第１の移動機に対して、前記第１の基地局の周辺基地局である第２の基地局と第３の基地局と、前記第１の基地局とから、品質情報要求メッセージを送信し、前記第１の移動機からの品質情報メッセージを用いて、前記無線品質テーブルを更新することを特徴とする基地局制御装置。
【請求項２】
請求項１に記載の基地局制御装置であって、
前記無線品質テーブルは、複数の基地局との信号強度情報と遅延情報とを含むことを特徴とする基地局制御装置。
【請求項３】
請求項１に記載の基地局制御装置であって、
ネットワークを介して、無線品質管理装置に接続され、
この無線品質管理装置の要求を受信したとき、前記無線品質テーブルに記載された情報を前記無線品質管理装置に送信することを特徴とする基地局制御装置。
【請求項４】
ネットワークを介して、基地局制御装置に接続された無線品質管理装置であって、
前記基地局制御装置が取得した第１の基地局の配下にある第１の移動機と、前記第１の基地局と第２の基地局と第３の基地局との信号遅延と、これらの基地局の位置情報に基づいて、前記第１の移動機の位置を取得し、前記第１の基地局と前記第１の移動機との信号強度をもって当該位置での無線品質とすることを特徴とする無線品質管理装置。
【発明の詳細な説明】
【技術分野】
【０００１】
本発明は、基地局制御装置および無線品質管理装置に係り、特に複数の移動機の位置を取得して、エリア内の無線品質を管理する基地局制御装置および無線品質管理装置に関する。
【背景技術】
【０００２】
特許文献１は、システムの上位装置を通じて、端末に要求することで、端末からエリア品質を送信させるエリア品質収集システムを開示する。特許文献１は、端末のエリア品質の送信について、専用アプリケーションをインストールして、実行する。また、特許文献１は、端末位置情報について、基地局と端末間のＲｏｕｎｄ  Ｔｒｉｐ  Ｄｅｌａｙ情報から取得する。
【０００３】
特許文献２は、システムの上位装置を通じて、端末に要求することで、端末からエリア品質を送信させるエリアマップ構築ステムを開示する。特許文献２は、データベースサーバにて収集されたエリア品質データをマップとして表示させる。特許文献２は、端末位置情報について、基地局と端末間のＲｏｕｎｄ  Ｔｒｉｐ  Ｄｅｌａｙ情報から取得する。
【先行技術文献】
【特許文献】
【０００４】
【特許文献１】特開２００８−０２２０６５号公報
【特許文献２】特開２００８−３０６２４０号公報
【発明の概要】
【発明が解決しようとする課題】
【０００５】
無線通信システムのＲＦ品質を管理する場合、ユーザの密度、利用頻度、通信状態に影響されないＲＦ品質情報を管理対象となるエリアにおいて満遍なく収集し、ＲＦ品質を評価することが求められている。
【０００６】
また、ユーザからＲＦ品質に関するクレームが上がってきた場合、クレームが発生した場所に赴くことなく、ユーザの位置を特定し、そのユーザ周辺のＲＦ品質状況を測定できることが望まれていた。
【０００７】
本発明は、特定エリアにある移動機の位置情報を収集する事により、局所的なエリア品質を把握する基地局制御装置および無線品質管理装置を提供する。
【課題を解決するための手段】
【０００８】
移動体無線通信システムにおいて、移動機は、複数の基地局とハンドオフするために、通信中に隣接する基地局のＲＦ品質を監視している。移動機は、ハンドオフの動作を希望するタイミングに基地局を介して上位制御装置に周辺局のＲＦ品質をメッセージとして送信する。ＣＤＭＡ２０００ １ＸＥＶ−ＤＯ（Evolution Data Only）システムにおいて、このメッセージはＲｏｕｔｅ Ｕｐｄａｔｅ Ｍｅｓｓａｇｅと呼ばれる。Ｒｏｕｔｅ Ｕｐｄａｔｅ Ｍｅｓｓａｇｅは、移動機周辺にある基地局のパイロットのＲＦ品質（パイロット強度／全受信電力）といったＲＦ品質情報を含んでいる。Ｒｏｕｔｅ Ｕｐｄａｔｅ Ｍｅｓｓａｇｅは、またＲｅｆｆｅｒｅｎｃｅ局のパイロット信号の遅延情報（Ｒｏｕｎｄ  Ｔｒｉｐ  Ｄｅｌａｙ）も含んでいる。このため、移動機と基地局間の距離が算出可能である。
【０００９】
つまり、Ｒｏｕｔｅ Ｕｐｄａｔｅ Ｍｅｓｓａｇｅを参照することで、移動機の位置におけるＲＦ品質が把握できる。Ｒｏｕｔｅ Ｕｐｄａｔｅ Ｍｅｓｓａｇｅは、通常、ハンドオフの契機として送信されるため、ハンドオフを試みる移動機からのみ送信され、セルの境界に位置する移動機から多く送信される。
一方、基地局の設置位置がわかっており、且つ３つ以上の基地局から移動機までの伝搬遅延が分かっている場合、三点測位的に移動機の位置を推定することが可能である。
【００１０】
Ｒｏｕｔｅ Ｕｐｄａｔｅ Ｒｅｑｕｅｓｔ Ｍｅｓｓａｇｅは、基地局から移動機に送信して、Ｒｏｕｔｅ Ｕｐｄａｔｅ Ｍｅｓｓａｇｅを移動機に強制的に送信させるメッセージである。
【００１１】
品質管理対象のエリアを選定し、そのエリア内の各基地局において隣接する周辺基地局をリストとして上位制御装置内に格納する。特定の移動機を対象とする場合は、ページングのために利用される待ち受けエリアに対応する基地局に対して、同様に隣接する基地局をリストとして格納する。当該リストは、複数の基地局に対するパイロット信号の遅延情報を取得するために使用する。
【００１２】
選定されたエリア内の基地局に対して、移動機呼び出し処理部からＲｏｕｔｅ Ｕｐｄａｔｅ Ｒｅｑｕｅｓｔ Ｍｅｓｓａｇｅを、待ち受け状態の移動機を含め、ＲＦ品質状況を把握するに十分な数の移動機に対して送信させる。特定の時間帯におけるＲＦ品質状況を把握する場合はその時間帯にて、時間帯の指定が必要ない場合は、トラヒック監視部を参照し、ユーザトラヒックの少ない時間帯にＲｏｕｔｅ Ｕｐｄａｔｅ Ｒｅｑｕｅｓｔ Ｍｅｓｓａｇｅを送信する。
【００１３】
エリア内の移動機からのＲｏｕｔｅ Ｕｐｄａｔｅ Ｍｅｓｓａｇｅを受け取った基地局制御部は、Ｒｏｕｔｅ Ｕｐｄａｔｅ Ｍｅｓｓａｇｅに含まれる、当該基地局を含む周辺局ＲＦ品質情報と、当該基地局のパイロット信号の遅延情報と、移動機のＩＤを既存のデータ格納形式（ＣＤＬ：Call Detail Log）として保持し、ＲＦ品質データベースに保守網を通じて送信する。
【００１４】
ＲＦ品質データベースは、受け取った情報を、移動機ＩＤごとに格納する。また、基地局制御装置は、自分が制御している基地局の位置情報を、ＲＦ品質情報処理部に保守網を通じて送信する。ＲＦ品質情報処理部は、基地局の位置情報をＲＦ品質ＤＢに格納する。
【００１５】
ＲＦ品質情報処理部は、ＲＦ品質データベースを参照し、移動機からのＲＦ品質情報に、３つ以上のパイロット信号の遅延情報が含まれている移動機の位置を推定して、推定結果を移動機に対応づけてＲＦ品質データベースに格納する。３つ未満の基地局の遅延情報しか得られない移動機に対しては、その移動機が通信している基地局における周辺基地局リストに従い、隣接する基地局より移動機に周辺局Ｒｏｕｔｅ Ｕｐｄａｔｅ Ｒｅｑｕｅｓｔ Ｍｅｓｓａｇｅを繰り返し送信し、３つ以上の異なるパイロット信号の遅延情報を取得する。
【００１６】
上述した課題は、複数の基地局と接続され、これらの基地局を制御し、基地局の位置関係を保持する周辺基地局情報テーブルと、基地局の配下にある移動機ごとの無線品質情報を保持する無線品質テーブルと、基地局と移動機とを対応付ける位置登録情報テーブルとを備え、第１の基地局の配下にある第１の移動機に対して、第１の基地局の周辺基地局である第２の基地局と第３の基地局と、第１の基地局とから、品質情報要求メッセージを送信し、第１の移動機からの品質情報メッセージを用いて、無線品質テーブルを更新する基地局制御装置により、達成できる。
【００１７】
さらに、ネットワークを介して、基地局制御装置に接続され、基地局制御装置が取得した第１の基地局の配下にある第１の移動機と、第１の基地局と第２の基地局と第３の基地局との信号遅延と、これらの基地局の位置情報に基づいて、第１の移動機の位置を取得し、第１の基地局と第１の移動機との信号強度をもって当該位置での無線品質とする無線品質管理装置により、達成できる。
【発明の効果】
【００１８】
本発明によれば、特定エリアにある移動機の位置情報を収集する事により、局所的なエリア品質を把握する基地局制御装置および無線品質管理装置を提供することができる。
【図面の簡単な説明】
【００１９】
【図１】移動体無縁通信システムのブロック図である。
【図２】周辺局テーブルを説明する図である。
【図３】移動機の位置情報テーブルを説明する図である。
【図４】基地局の位置情報テーブルを説明する図である。
【図５】ＣＤＬテーブルを説明する図である。
【図６Ａ】位置情報収集処理のシーケンス図（その１）である。
【図６Ｂ】位置情報収集処理のシーケンス図（その２）である。
【図７】移動機にＲｏｕｔｅ Ｕｐｄａｔｅ Ｍｅｓｓａｇｅを送信させるシーケンス図である。
【図８】３局からの遅延を利用した移動機位置推定の概念図である。
【図９】ＲＦ品質マップである。
【発明を実施するための形態】
【００２０】
以下、本発明の実施の形態について、実施例を用い図面を参照しながら、説明する。なお、実質同一部位には同じ参照番号を振り、説明は繰り返さない。
【００２１】
図１を参照して、移動体無線通信システムの構成を説明する。図１において、移動体無線通信システム１０００は、保守網１００に接続された基地局制御部２００とＲＦ品質情報処理部６００と保守用端末８００と呼処理データ分析サーバ７００と、基地局制御部２００に接続されたＰＤＳＮ（Packet Data Serving Node）３００と複数の基地局４００と、基地局４００と接続された移動機５００とから構成される。
【００２２】
基地局制御部２００は、ＣＲ（Consolidation Router）２１０と、ＩＰ−ＳＷ（IP-Switch）２２０と、周辺局情報保持部２３０と、ＰＣＦ−ＳＣ（Packet Control Function-Session Controller）２４０と、ＯＭＳ（Operation and Maintenance System）２５０とから構成される。さらに、ＯＭＳ２５０は、位置登録情報２５１と、ＣＤＬ（Call Detail Log）テーブル２５２とから構成される。
【００２３】
ＲＦ品質情報処理部６００は、ＲＦ品質データベース６１０と、情報処理部６２０とから構成される。情報処理部６２０は、さらに移動機位置推定処理部６２１と、移動機呼び出し処理部６２２と、トラフィック監視部６２３とから構成される。
【００２４】
ＣＲ ２１０は、ネットワーク間のＩＰルーティングおよび媒体変換を行なう。ＰＣＦ−ＳＣ ２４０は、データパケット制御およびセッション管理を行なう。
ＰＣＦ−ＳＣ ２４０は、基地局４００とＰＤＳＮ３００と間のパケットデータを引き渡す。ＰＣＦ−ＳＣ ２４０は、ＰＤＳＮ選択機能を実現する。ＰＣＦ−ＳＣ２４０は、また、端末認証機能、ＰＣＦ−ＳＣ ２４０間に跨るハンドオフ時のデータセッション情報引渡機能、データセッション情報収集機能、データセッション情報管理機能を実現する。
【００２５】
ＯＭＳ ２５０は、ネットワーク管理システムである。ＯＭＳ ２５０は、各機器の負荷制御、障害・故障監視、インストール・調整を行なう。ＯＭＳ ２５０は、各デバイスの状態確認・制御を遠隔制御する。
【００２６】
ＩＰ−ＳＷ ２２０は、ＣＲ ２１０およびＰＣＦ−ＳＣ ２４０間を跨るハンドオフ時のデータ交換機能を実現する。ＩＰ−ＳＷ ２２０は、また、ＯＭＳ ２５０を収容する。ＩＰ−ＳＷ ２２０は、図示しない認証網、ＢＣＭＣＳ（broadcast/multicast services）網、ＩＰデータ網との接続を実現する。
【００２７】
ＰＤＳＮ ３００は、モバイルネットワークに対してインターネットプロトコル機能を提供し、ＩＰ網とのインタフェースを提供する。位置登録情報ＤＢ ２５１は、ＯＭＳ ２５０にて管理されている位置登録情報である。
【００２８】
本実施例において、既存のＣＤＭＡ２０００ １Ｘ ＥＶ−ＤＯシステムに対して、基地局制御部２００に周辺局情報テーブル２３０を追加する。基地局制御部２００は、保守網１００を介して、ＲＦ品質情報処理部６００のＲＦ品質データベース６１０および情報処理部６２０と接続される。基地局制御部２００は、Ｒｏｕｔｅ Ｕｐｄａｔｅ Ｒｅｑｕｅｓｔ Ｍｅｓｓａｇｅを基地局４００に送信する。
【００２９】
移動機５００は、Ｒｏｕｔｅ Ｕｐｄａｔｅ Ｒｅｑｕｅｓｔ Ｍｅｓｓａｇｅを受けて、３台の基地局４００−１、４００−２、４００−３に対する遅延情報が含まれたＲｏｕｔｅ Ｕｐｄａｔｅ Ｍｅｓｓａｇｅを基地局制御部２００に送信する。この遅延情報は、ＣＤＬテーブル２５２に、一時的に格納される。ＣＤＬテーブル２５２について、ＯＭＳ２５０は、保守網１００に接続された保守用端末８００または呼処理データ分析サーバ７００からの要求に従い、遅延情報を転送する。この結果、保守用端末８００または呼処理データ分析サーバ７００は、Ｒｏｕｔｅ Ｕｐｄａｔｅ Ｍｅｓｓａｇｅを含む各種メッセージの分析が可能となる。
【００３０】
図２を参照して、基地局制御部が保持する周辺局情報テーブルを説明する。図２において、周辺局情報テーブル２３０は、対象局２３０１、ＡＲＥＡ−ＩＤ２３０２、ＡＰ−ＩＤ２３０３、Ｓｅｃｔｏｒ２３０４から、構成される。対象局２３０１は、周辺局情報テーブル２３０の対象局である。ＡＲＥＡ−ＩＤ２３０２は、対象局周辺に位置する基地局（ＡＰ：Access Point）のＡＲＥＡ−ＩＤである。ＡＰ−ＩＤ２３０３は、対象局周辺に位置する基地局のＡＰ−ＩＤである。Ｓｅｃｔｏｒ２３０４は、対象局周辺に位置する基地局の対象局の方向のセクター番号である。
【００３１】
図３を参照して、ＯＭＳが保持する移動機の位置登録情報テーブルを説明する。図３において、位置登録情報テーブル１０は、ＨＷ−ＩＤ１０１、ＡＲＥＡ−ＩＤ１０２から構成される。ＨＷ（Hardware）−ＩＤ１０１は、基地局制御部２００の配下の移動機５００のＩＤである。ＡＲＥＡ−ＩＤ１０２は、当該移動機５００の存在するエリアのＩＤである。
【００３２】
図４を参照して、ＯＭＳが保持する基地局の位置登録情報テーブルを説明する。図４において、位置登録情報テーブル９０は、ＡＲＥＡ−ＩＤ９０１、ＡＰ−ＩＤ９０２から構成される。ＡＲＥＡ−ＩＤ９０１は、基地局制御部２００の配下のエリアのＩＤである。、ＡＰ−ＩＤ９０２は、当該エリアに存在する基地局のＩＤである。
【００３３】
ＯＭＳが保持するＣＤＬテーブルについて、図５を参照して説明する。図５において、ＣＤＬテーブル２５２は、モバイルネットワーク内の基地局と移動機との間の信号強度情報と遅延情報に関するテーブルである。図５において、ＣＤＬテーブル２５２は、ＲＵ１_ＰＮ ２５２１、ＲＵ１_Ｅｃ／Ｉｏ ２５２２、ＲＵ１_Ｐｈａｓｅ ２５２３、ＲＵ２_ＰＮ ２５２４、ＲＵ２_Ｅｃ／Ｉｏ ２５２５、ＲＵ３_ＰＮ ２５２６、ＲＵ３_Ｅｃ／Ｉｏ ２５２７で構成される。
【００３４】
ＲＵ１_ＰＮは、Ｒｏｕｔｅ Ｕｐｄａｔｅ Ｍｅｓｓａｇｅ内の一番強いＰＮ番号である。ＲＵ２_ＰＮはその次、ＲＵ３_ＰＮはさらに次のＰＮ番号である。ＲＵｉ１_Ｅｃ／Ｉｏ（ｉ＝１〜３）は、ＲＵｉ_ＰＮのＥｃ／Ｉｏである。ここで、現行基地局と近隣基地局との送信レベルの総和をＩｏ（μＷ）、近隣基地局のパイロットチャネルの送信レベルをＥｃ（μＷ）である。このＥｃ／Ｉｏが大きいほど、当該近隣基地局の信号強度が良好であることを意味する。また、ＲＵ１_Ｐｈａｓｅは、ＲＵ１_ＰＮの遅延情報（Ｒｏｕｎｄ  Ｔｒｉｐ  Ｄｅｌａｙ）である。ＲＵ２、ＲＵ３については、遅延情報を含まない。しかし、周辺局Ｒｏｕtｅ Ｕｐｄａｔｅ Ｒｅｑｕｅｓｔ Ｍｅｓｓａｇｅにより、ＲＵ２、ＲＵ３の遅延情報を取得できる。図５は、一部の周辺局の遅延情報を取得後を表している。
【００３５】
図６を参照して、移動機位置を推定する処理のシーケンスについて、説明する。図６では、保守網１００は保守網に含まれているトラフィック転送装置の機能を含めている。また、ＣＤＬ、周辺局情報テーブルおよびＲＦ品質ＤＢについても装置の機能を含めている。
【００３６】
図６において、トラフィック監視部６２３は、保守網１００にＣＤＬ転送依頼を送信する（Ｓ５１）。保守網１００は、ＣＤＬ２５２にＣＤＬ転送依頼を転送する（Ｓ５２）。ＣＤＬ２５２は、保守網１００にＣＤＬを送信する（Ｓ５３）。保守網１００は、ＲＦ品質ＤＢ６１０にＣＤＬを送信する（Ｓ５４）。ＣＤＬを受信したＲＦ品質ＤＢ６１０は、トラフィック監視部６２３にＣＤＬ転送完了報告を送信する（Ｓ５６）。トラフィック監視部６２３は、ＣＤＬ監視を実行する（Ｓ５７）。
【００３７】
トラフィック監視部６２３は、保守網１００に位置登録情報転送依頼を送信する（Ｓ５８）。保守網１００は、ＣＤＬ２５２に位置登録情報転送依頼を転送する（Ｓ５９）。ＣＤＬ２５２は、保守網１００に位置登録情報を送信する（Ｓ６１）。保守網１００は、移動体呼び出し処理部６２２に位置登録情報を転送する（Ｓ６２）。移動体呼び出し処理部６２２は、保守網１００にＲｏｕｔｅ ＵＰｄａｔｅ Ｒｅｑｕｅｓｔ Ｍｅｓｓａｇｅ送信依頼を送信する（Ｓ６３）。保守網１００は、ＯＭＳ ２５０にＲｏｕｔｅ ＵＰｄａｔｅ Ｒｅｑｕｅｓｔ Ｍｅｓｓａｇｅ送信依頼を送信する（Ｓ６４）。ＯＭＳ ２５０は、ＰＣＦ−ＳＣ２４０にＲｏｕｔｅ ＵＰｄａｔｅ Ｒｅｑｕｅｓｔ Ｍｅｓｓａｇｅ送信依頼を送信する（Ｓ６６）。ＰＣＦ−ＳＣ２４０は、Ｒｏｕｔｅ ＵＰｄａｔｅ Ｒｅｑｕｅｓｔ Ｍｅｓｓａｇｅ送信処理を実施する（Ｓ６７）。なお、Ｒｏｕｔｅ ＵＰｄａｔｅ Ｒｅｑｕｅｓｔ Ｍｅｓｓａｇｅ送信処理の詳細は、図７を参照して、後述する。
【００３８】
ＣＤＬ２５２は、保守網１００にＣＤＬを転送する（Ｓ６８）。保守網１００は、ＲＦ品質ＤＢ６１０にＣＤＬを転送する（Ｓ６９）。ＲＦ品質ＤＢ６１０は、移動機位置推定部６２１に遅延情報を転送する（Ｓ７１）。移動機位置推定部６２１は、位置推定を実施する（Ｓ７２）。移動機位置推定部６２１は、移動機呼び出し処理部６２２にＲＵ再送要求を送信する（Ｓ７３）。移動機位置推定部６２１は、またＲＦ品質ＤＢに緯度経度情報を転送する（Ｓ７４）。移動機呼び出し処理部６２２は、保守網１００に周辺局情報要求を送信する（Ｓ７６）。保守網１００は、周辺局情報テーブル２３０に周辺局情報要求を転送する（Ｓ７７）。周辺局情報テーブル２３０は、保守網１００に周辺局情報を送信する（Ｓ７８）。保守網１００は、移動機呼び出し処理部６２２に周辺局情報を転送する（Ｓ７９）。移動機呼び出し処理部６２２は、保守網１００に周辺局Ｒｏｕｔｅ ＵＰｄａｔｅ Ｒｅｑｕｅｓｔ Ｍｅｓｓａｇｅ送信依頼を送信する（Ｓ８１）。保守網１００は、ＯＭＳ２５０に周辺局Ｒｏｕｔｅ ＵＰｄａｔｅ Ｒｅｑｕｅｓｔ Ｍｅｓｓａｇｅ送信依頼を送信する（Ｓ８２）。ＯＭＳ２５０は、ＰＣＦ−ＳＣ２４０に周辺局Ｒｏｕｔｅ ＵＰｄａｔｅ Ｒｅｑｕｅｓｔ Ｍｅｓｓａｇｅ送信依頼を送信する（Ｓ８３）。ＰＣＦ−ＳＣ２４０は、当該周辺局との遅延情報を含むＲｏｕｔｅ ＵＰｄａｔｅ Ｒｅｑｕｅｓｔ Ｍｅｓｓａｇｅ送信処理を実施する（Ｓ８４）。
【００３９】
なお、ステップ７２からステップ８４は、複数の周辺基地局からの情報が集まるまで、繰り返される処理である。また、周辺局Ｒｏｕｔｅ ＵＰｄａｔｅ Ｒｅｑｕｅｓｔ Ｍｅｓｓａｇｅは、基本的にはＲｏｕｔｅ ＵＰｄａｔｅ Ｒｅｑｕｅｓｔ Ｍｅｓｓａｇｅと同じである。しかし、周辺局が送信するＵＰｄａｔｅ Ｒｅｑｕｅｓｔ Ｍｅｓｓａｇｅを周辺局Ｒｏｕｔｅ ＵＰｄａｔｅ Ｒｅｑｕｅｓｔ Ｍｅｓｓａｇｅと表記する。
【００４０】
図７を参照して、Ｒｏｕｔｅ ＵＰｄａｔｅ Ｒｅｑｕｅｓｔ Ｍｅｓｓａｇｅ送信処理を説明する。なお、図７は、Ｒｏｕｔｅ ＵＰｄａｔｅ Ｒｅｑｕｅｓｔ Ｍｅｓｓａｇｅ送信処理および周辺局Ｒｏｕｔｅ ＵＰｄａｔｅ Ｒｅｑｕｅｓｔ Ｍｅｓｓａｇｅ送信処理を共通に説明する図である。図７において、まずＰＣＦ−ＳＣ２４０は、基地局４００にＡＴ（Access Terminal：移動機）呼出要求を送信する（Ｓ１１）。基地局４００は、ＰＣＦ−ＳＣ２４０にＡＴ呼出要求応答を送信する（Ｓ１２）。基地局４００は、移動機５００にＡＴ呼出を送信する（Ｓ１３）。移動機５００は、基地局４００にＴｒａｆｆｉｃ Ｃｈａｎｎｅｌ確立要求を送信する（Ｓ１４）。基地局４００は、ＰＣＦ−ＳＣ２４０にＡ８−接続確立要求を送信する（Ｓ１６）。ＰＣＦ−ＳＣ２４０は、ＰＤＳＮ３００に端末登録情報要求を送信する（Ｓ１７）。ＰＤＳＮ３００は、ＰＣＦ−ＳＣ２４０に端末登録情報応答を送信する（Ｓ１８）。ＰＣＦ−ＳＣ２４０は、基地局４００にＡ８−接続確立受入を送信する（Ｓ１９）。基地局４００は、移動機５００にＴｒａｆｆｉｃ Ｃｈａｎｎｅｌ確立応答を送信する（Ｓ２０）。移動機５００は、基地局４００にＴｒａｆｆｉｃ Ｃｈａｎｎｅｌ確立報告を送信する（Ｓ２１）。
【００４１】
ＰＣＦ−ＳＣ２４０は、基地局４００にＲｏｕｔｅ Ｕｐｄａｔｅ Ｒｅｑｕｅｓｔ Ｍｅｓｓａｇｅを送信する（Ｓ２２）。基地局４００は、移動機５００にＲｏｕｔｅ Ｕｐｄａｔｅ Ｒｅｑｕｅｓｔ Ｍｅｓｓａｇｅを転送する（Ｓ２３）。移動機５００は、基地局４００にＲｏｕｔｅ Ｕｐｄａｔｅ Ｍｅｓｓａｇｅを送信する（Ｓ２４）。基地局４００は、ＰＣＦ−ＳＣ２４０にＲｏｕｔｅ Ｕｐｄａｔｅ Ｍｅｓｓａｇｅを転送する（Ｓ２６）。
【００４２】
ＰＣＦ−ＳＣ２４０は、基地局４００にＡ８−接続開放要求を送信する（Ｓ２７）。基地局４００は、移動機５００にＴｒａｆｆｉｃ Ｃｈａｎｎｅｌ開放通知を送信する（Ｓ２８）。移動機５００は、基地局４００にＴｒａｆｆｉｃ Ｃｈａｎｎｅｌ開放報告を送信する（Ｓ２９）。基地局４００は、ＰＣＦ−ＳＣ２４０にＡ８−接続開放要求を送信する（Ｓ３１）。ＰＣＦ−ＳＣ２４０は、ＰＤＳＮ３００に端末登録情報要求を送信する（Ｓ３２）。ＰＤＳＮ３００は、ＰＣＦ−ＳＣ２４０に端末登録情報応答を送信する（Ｓ３３）。ＰＣＦ−ＳＣ２４０は、基地局４００にＡ８−接続開放報告を送信する（Ｓ３４）。
【００４３】
なお、ステップ２２およびステップ２３で送信されるのが周辺局Ｒｏｕｔｅ ＵＰｄａｔｅ Ｒｅｑｕｅｓｔ Ｍｅｓｓａｇｅのとき、移動機５００は、ＲＵ２またはＲＵ３の遅延情報について、基地局４００に周辺局Ｒｏｕｔｅ Ｕｐｄａｔｅ Ｍｅｓｓａｇｅを送信する（Ｓ２４）。基地局４００は、ＰＣＦ−ＳＣ２４０に周辺局Ｒｏｕｔｅ Ｕｐｄａｔｅ Ｍｅｓｓａｇｅを転送する（Ｓ２６）。さらに、本実施例では、Ｔｒａｆｆｉｃ Ｃｈａｎｎｅｌを確立して動作を抑制させることにより、課金処理を行わないため、ユーザに負担がかからない。
【００４４】
図８を参照して、遅延情報から移動機の位置を推定する概念を説明する。図８において、Ｒｏｕｔｅ Ｕｐｄａｔｅ Ｍｅｓｓａｇｅには基地局の緯度経度と基地局からの移動機までの遅延情報(Ｒｏｕｎｄ  Ｔｒｉｐ  Ｄｅｌａｙ)情報が含まれている。移動機位置推定処理部６２０は、ＲＴＤ情報から周辺基地局から移動機までの距離を計算する。ただし、単一の基地局４００からの距離だけでは移動機５００の場所の特定は困難なため、周辺の複数基地局（４００−１〜４００−３）からの情報を使って、移動機の場所を特定する。３基地局との遅延データを利用した場合、３局の共通する交点は一つとなり、移動機５００の場所を特定することができる。
【００４５】
図９を参照して、移動機の位置情報とＲＦ品質情報とに基づく無線品質マップを説明する。図９おいて、無線品質マップ３００の横軸は東西方向、縦軸は南北方向である。基地局４００は、緯度経度から得た位置である。ドットまたは×で示した移動機位置は、ドットで正常品質位置、×で劣った品質位置を示している。また、空白のメッシュは、無線品質を取得する移動機が存在しなかったことを意味する。無線品質マップ３００には、また距離スケール３１０と取得時刻（この場合、１６時）３２０を表示する。なお、ここでは特定時刻の平面的な品質を説明したが、特定の移動機におけるＲＦ品質を時系列的に把握することもできる。
【００４６】
本実施例によれば、一般ユーザの利用状態に左右されなないエリア品質確認が可能になる。これは潜在ユーザの分布の把握となりエリア品質調整の際、潜在ユーザを考慮した調整が可能になる。また、特定エリアにある移動機の位置情報を収集する事により、局所的なエリア品質を把握することができる。
【００４７】
本実施例によれば、特定ユーザのＲＦ品質状況を現地に赴くことなく追跡することが可能となる。また、時間帯毎のＲＦ品質の変化に対応したエリア品質管理が可能となる。さらに、既存のインフラ構成に大幅な変更を加えることなく実現することが可能である。
【符号の説明】
【００４８】
１００…保守網、２００…基地局制御部、２１０…ＣＲ（Consolidation Router）、２２０…ＩＰ−ＳＷ、２３０…周辺局情報テーブル、２４０…ＰＣＦ−ＳＣ（Packet Control Function-Session Controller）、２５０…ＯＭＳ（Operation and Maintenance System）、２５１…位置登録情報ＤＢ、２５２…ＣＤＬ（Call Detail Log）テーブル、３００…無線品質マップ、４００…基地局、５００…移動機、６００…ＲＦ品質情報処理部、６１０…ＲＦ品質ＤＢ、６２０…情報処理部、６２１…移動機位置推定処理部、６２２…移動機呼び出し処理部、６２３…トラフィック監視部、７００…呼処理分析サーバ、８００…保守用端末。
【図１】
2010278961.tif 000003
【図２】
2010278961.tif 000004
【図３】
2010278961.tif 000005
【図４】
2010278961.tif 000006
【図５】
2010278961.tif 000007
【図６Ａ】
2010278961.tif 000008
【図６Ｂ】
2010278961.tif 000009
【図７】
2010278961.tif 000010
【図８】
2010278961.tif 000011
【図９】
2010278961.tif 000012